(57)【要約】【課題】回路基板に端子部材を取り付けてなる電気接続箱において、端子部材が傾倒しにくい構成を、組み立て作業を煩雑化することなく実現する。【解決手段】電気接続箱１は、電子部品４０が実装される回路基板１０と、複数の端子部材２１〜２６からなる端子群２０と、回路基板１０を収容するケース２都を備えている。端子部材２１〜２６は、一端部が回路基板１０に取り付けられ、他端部が回路基板１０に沿った方向に延びるように少なくとも一部が屈曲してなり、それら複数の端子部材２１〜２６の他端部は複数段に並んだ構成をなしている。さらに、端子部材２１〜２６が他端部の延出側とは反対側へ傾倒するのを規制するように複数の傾倒規制部３１〜３６を備えた端子支持部材３０が回路基板１０に固定されている。端子支持部材３０の傾倒規制部３１〜３６は各段毎に設けられ、各段の端子部材２１〜２６の後方側に隣接して配されている。【選択図】図１
2008072823.tif 000002
【特許請求の範囲】
【請求項１】
電子部品が実装される回路基板と、
一端部が前記回路基板に取り付けられ他端部が前記回路基板に沿った方向に延びるように少なくとも一部が屈曲してなる端子部材を複数備え、それら複数の前記端子部材の前記他端部が複数段に並んでなる端子群と、
前記回路基板を収容するケースと、
前記端子部材が前記他端部の延出側とは反対側へ傾倒するのを規制するべく前記端子部材と隣接して配され、前記回路基板上に位置保持される複数の傾倒規制部と、
を有することを特徴とする電気接続箱。
【請求項２】
前記端子部材は、前記一端部側が前記回路基板の板面と略直交して配され、前記他端部側が前記一端部側と略直交するようにＬ字状に構成されていることを特徴とする請求項１に記載の電気接続箱。
【請求項３】
複数の前記傾倒規制部のうちの少なくとも一部は、
前記他端部が所定段に配される前記端子部材の後方側に隣接すると共に当該所定段の前記端子部材の後方側への傾倒を規制し、かつ前記他端部が前記所定段とは異なる段に配される前記端子部材の前方に隣接しており、当該異なる段の前記端子部材の前方への倒れを規制することを特徴とする請求項２に記載の電気接続箱。
【請求項４】
前記傾倒規制部は、前記端子部材の並び方向において所定領域に亘って形成されており、かつ前記並び方向における中間位置にスリットが形成されていることを特徴とする請求項１ないし請求項３のいずれかに記載の電気接続箱。
【請求項５】
前記ケースにおいて前記他端部が延出する側を前方とした場合、 前記端子部材は、前記ケースの前方側より前記他端部を外部に露出する構成をなしており、
前記ケースの前方側には、前記端子部材を露出させる複数の開口を備えたカバー部材が設けられ、
前記カバー部材は、複数の前記端子部材の先端部に部分的に当接し、これら端子部材の前方への移動を規制していることを特徴とする請求項１ないし請求項４のいずれかに記載の電気接続箱。
【請求項６】
複数の前記傾倒規制部が一体的に形成されていることを特徴とする請求項１ないし請求項５のいずれかに記載の電気接続箱。
【請求項７】
複数の前記傾倒規制部を一体化してなる端子支持部材を備え、
前記端子支持部材には、前記回路基板の所定位置に形成された被係合部と係合する係合部が形成されていることを特徴とする請求項６に記載の電気接続箱。
【請求項８】
前記傾倒規制部は、各段ごとの端子部材に対応してそれぞれ設けられており、
上段の前記端子部材に対応する前記傾倒規制部のほうが、下段の端子部材に対応する傾倒規制部よりも高くなるように段状に設けられていることを特徴とする請求項１ないし請求項７のいずれかに記載の電気接続箱。
【発明の詳細な説明】
【技術分野】
【０００１】
本発明は、電気接続箱に関するものである。
【背景技術】
【０００２】
自動車に搭載される電気接続箱として、回路構成体をケースに収容した構造のものがある。回路構成体は、回路基板と、回路基板に取り付けられる金属製の端子部材と、回路基板の表面側に実装されるリレー等のスイッチング部材などによって構成されており、このような回路構成体では、端子部材を略Ｌ字形に曲げ加工して構成し、先端側をカバー部材の開口を介して外部に露出させる構成が一般的である。尚、このような電気接続箱としては、特許文献１に開示されているもの等がある。
【特許文献１】特開２００３−１６４０３９公報
【発明の開示】
【発明が解決しようとする課題】
【０００３】
ところで、この種の電気接続箱では、端子部材に対する先端側からの負荷に起因して、当該端子部材がその基端部を支点として後方側に傾くように変形することが懸念される。この対策としては、カバー部材と端子部材の先端部とを係合させように組み付け、カバー部材によって端子部材を支持することで傾倒を防止する構成が考えられるが、このようにカバー部材と先端部とを係合させる構成を用いると、端子部材を回路基板に取り付ける際の作業性の問題がある。
【０００４】
例えば、端子部材の先端部に突起などの係合部を設け、これをカバー部材の開口付近と係合させることで後方側への傾倒を防止する構成を用いた場合、カバー部材によって突起を受けるには（即ち、カバー部材によって端子部材の後方への移動を受けるには）、端子部材をカバー部の開口に通して突起とカバー部材を係合させてから端子部材の他端側を、場合によってはＬ字に折り曲げて回路基板に接続しなければならない。しかしながら、このような構成では、端子部材を一つずつ開口と係合、場合によってはＬ字に折り曲げをしなければならず、組み立て及び組み付け作業が煩雑化してしまう。
【０００５】
本発明は上記のような事情に基づいて完成されたものであって、回路基板に端子部材を取り付けてなる電気接続箱において、端子部材が傾倒しにくい構成を、組み立て及び組み付け作業を煩雑化することなく実現することを目的とする。
【課題を解決するための手段】
【０００６】
上記の目的を達成するための手段として、請求項１の発明は、
電子部品が実装される回路基板と、
一端部が前記回路基板に取り付けられ他端部が前記回路基板に沿った方向に延びるように少なくとも一部が屈曲してなる端子部材を複数備え、それら複数の前記端子部材の前記他端部が複数段に並んでなる端子群と、
前記回路基板を収容するケースと、
前記端子部材が前記他端部の延出側とは反対側へ傾倒するのを規制するべく前記端子部材と隣接して配され、前記回路基板上に位置保持される複数の傾倒規制部と、
を有することを特徴とする。
【０００７】
請求項２の発明は、請求項１に記載の電気接続箱において、
前記端子部材は、前記一端部側が前記回路基板の板面と略直交して配され、前記他端部側が前記一端部側と略直交するようにＬ字状に構成されていることを特徴とする。
【０００８】
請求項３の発明は、請求項２に記載の電気接続箱において、
複数の前記傾倒規制部のうちの少なくとも一部は、
前記他端部が所定段に配される前記端子部材の後方側に隣接すると共に当該所定段の前記端子部材の後方側への傾倒を規制し、かつ前記他端部が前記所定段とは異なる段に配される前記端子部材の前方に隣接しており、当該異なる段の前記端子部材の前方への倒れを規制することを特徴とする。
【０００９】
請求項４の発明は、請求項１ないし請求項３のいずれかに記載の電気接続箱において、
前記傾倒規制部は、前記端子部材の並び方向において所定領域に亘って形成されており、かつ前記並び方向における中間位置にスリットが形成されていることを特徴とする。
【００１０】
請求項５の発明は、請求項１ないし請求項４のいずれかに記載の電気接続箱において、
前記ケースにおいて前記他端部が延出する側を前方とした場合、 前記端子部材は、前記ケースの前方側より前記他端部を外部に露出する構成をなしており、
前記ケースの前方側には、前記端子部材を露出させる複数の開口を備えたカバー部材が設けられ、
前記カバー部材は、複数の前記端子部材の先端部に部分的に当接し、これら端子部材の前方への移動を規制していることを特徴とする。
【００１１】
請求項６の発明は、請求項１ないし請求項６のいずれかに記載の電気接続箱において、
複数の前記傾倒規制部が一体的に形成されていることを特徴とする。
【００１２】
請求項７の発明は、請求項６に記載の電気接続箱において、
複数の前記傾倒規制部を一体化してなる端子支持部材を備え、
前記端子支持部材には、前記回路基板の所定位置に形成された被係合部と係合させる係合部が形成されていることを特徴とする。
【００１３】
請求項８の発明は、請求項１ないし請求項７のいずれかに記載の電気接続箱において、
前記傾倒規制部は、各段ごとの端子部材に対応してそれぞれ設けられており、
上段の前記端子部材に対応する前記傾倒規制部のほうが、下段の端子部材に対応する傾倒規制部よりも高くなるように段状に設けられていることを特徴とする。
【発明の効果】
【００１４】
＜請求項１の発明＞
請求項１の発明によれば、各段の端子部材が他端部の延出側とは反対側（即ち後方側）へ傾倒するのを防止できるため、端子部材を所定位置に安定的に保持することができる。
【００１５】
＜請求項２の発明＞
請求項２のように、一端部側を回路基板の板面と略直交して配し、他端部側を一端部側と略直交するように端子部材をＬ字状に構成すれば、端子部材を簡易に多段構成とすることができる。このようにすると、端子部材の傾倒防止が難しくなるが、本実施形態では、回路基板に固定される端子支持部材によって簡易かつ効果的に傾倒を防止できる。
【００１６】
＜請求項３の発明＞
請求項３の発明によれば、他端部が所定段に配される端子部材が後方側へ傾倒するのを規制する傾倒規制部を、他端部がその所定段とは異なる段に配される端子部材の傾倒防止に利用できるようになる。
【００１７】
＜請求項４の発明＞
請求項４の発明によれば、端子部材の傾倒を防止しつつ、放熱性への寄与をも高めることができる。
【００１８】
＜請求項５の発明＞
請求項５の発明によれば、端子部材の前方への傾倒をも規制できるため、端子部材の形状を極めて安定的に保持することができる。
【００１９】
＜請求項６の発明＞
請求項６の発明によれば、部品点数を効果的に削減できると共に傾倒規制部を回路基板に取り付ける作業を簡易に行うことができるようになる。
【００２０】
＜請求項７の発明＞
請求項７の発明によれば、端子支持部材を所定位置に適切に位置保持できるようになる。
【００２１】
＜請求項８の発明＞
請求項８の発明によれば、倒れやすい上段側の端子部材を支持する傾倒規制部については高く構成することができ、比較的倒れにくい下段側の端子部材を支持する傾倒規制部については低く構成できる。また、副次的に端子部材同士をつないだ構造を有する端子群にすることにより、回路を組み込めることができる。
【発明を実施するための最良の形態】
【００２２】
＜実施形態１＞
以下、本発明を具体化した実施形態１を図面を参照して説明する。
１．全体構成
図１は、実施形態１に係る電気接続箱１を例示する斜視図であり、図２は、図１の電気接続箱１の平面図である。図３は、図２のＡ−Ａ断面図である。図４は、回路構成体３を裏側から見た斜視図である。
【００２３】
図１ないし図３に示すように、電気接続箱１は、回路構成体３と、この回路構成体３を収容するケース２とを備えて構成されている。本実施形態の電気接続箱１は、自動車に搭載され、バッテリ（図示せず）とランプ、オーディオ等の電装品（図示せず）との間に介設され、バッテリから供給される電力を各電装品に分配・供給するとともに、これら電力供給の切り替え等の制御を行うものである。なお、本実施形態では、ケース２においてカバー部材４が設けられる側を前方側とし、カバー部材４とは反対の壁側を後方側とする。また、回路基板１０と直交する方向を上下方向とし、回路基板１０において電子部品４０が実装される側を上面側、それとは反対の面側を下面側とする（即ち、図３の上側が電気接続箱１の上方側、図３の下側が電気接続箱１の下側となる。
【００２４】
ケース２は、例えば合成樹脂材料や金属材料などによって構成されるものであり、回路基板１０の一方の板面側を覆う第１カバー部材２Ａと、他方の板面側を覆う第２カバー部材２Ｂとを備え、全体的に箱型形状をなしている。また、前方側には、第１カバー２Ａ及び第２カバー２Ｂによる開口部分を部分的に閉塞するカバー部材４が設けられている。
【００２５】
図３、図４に示すように、回路構成体３は、回路基板１０と、この回路基板１１に取り付けられる金属製の複数の端子部材２１〜２６からなる端子群２０と、回路基板１１の表面側に実装されるリレー、抵抗などの電子部品４０とを備えて構成されている。
【００２６】
端子群２０は、バスバーとして構成される金属製の複数の端子部材２１〜２６からなるものである。端子群２０は、他端部２１Ａが最上段に配される第一段目の端子部材２１と、他端部２２Ａが上から二段目に配される第二段目の端子部材２２とを備え、各端子部材２１がそれぞれ各端子部材２２とペアになり、複数の端子対２７が構成されている。同様に、他端部２３Ａが上から三段目に配される第三段目の端子部材２３と、他端部２４Ａが上から四段目に配される第四段目の端子部材２４とを備え、各端子部材２３がそれぞれ各端子部材２４とペアになり、複数の端子対２８が構成されている。また、他端部２５Ａが上から五段目に配される第五段目の端子部材２５と、他端部２６Ａが上から六段段目に配される第６段目の端子部材２６とを備え、端子部材２５と端子部材２６とによって複数の端子対２９が構成されている。
【００２７】
図３に示すように、端子部材２１〜２６のいずれも、一端部側が回路基板１０の板面１０Ａと略直交して配され、他端部側が一端部側と略直交するようにＬ字状に構成されている。具体的には、各端子部材２１〜２６は、一端部側において回路基板１０の板面１０Ａと平行に配される平行部が設けられ、他端部側において、回路基板１０の板面１０Ａと直交して配される直交部が設けられている。各平行部は、片持ち状に延出しておりその端部には、ヒューズを保持するためのスリットが形成されている。
【００２８】
例えば、図３、図７、図１２に示すように、他端部２１Ａが最上段（第一段目）に配される第一段目の端子部材２１は、他端部２１Ａ側において回路基板１０の板面１０Ａとほぼ平行に配される平行部１２１Ａが設けられており、一端部２１Ｂ側には回路基板１０の板面とほぼ直交して配される直交部１２１Ｂが設けられている。平行部１２１Ａと直交部１２１Ｂは略直交しており、図３、図４、図８に示す直交部１２１Ｂの端部（即ち、一端部２１Ｂ）は、回路基板１０を貫通している。また、平行部１２１Ａは、片持ち状に延出したいわゆる音叉端子として構成されており、その先端部にはヒューズを係合させるためのスリットが形成されている。
【００２９】
他端部２２Ａが上から第二段目に配される端子部材２２も同様であり、他端部２２Ａ側において回路基板１０の板面とほぼ平行に配される平行部１２２Ａが設けられ、一端部２２Ｂ側には回路基板１０の板面とほぼ直交して配される直交部１２２Ｂが設けられている。平行部１２２Ａと直交部１２２Ｂは略直交しており、図３、図４、図８に示す直交部１２２Ｂの端部（即ち、一端部２２Ｂ）は、回路基板１０を貫通している。また、平行部１２２Ａは、片持ち状に延出したいわゆる音叉端子として構成されており、その先端部にはヒューズを係合させるためのスリットが形成されている。第一段目の端子部材２１の各他端部２１Ａと、それぞれに対向する二段目の端子部材２２の各他端部２２Ａとがペアとなり端子対２７を構成している。
【００３０】
他端部２３Ａが第三段目の端子部材２３の平行部１２３Ａ、他端部２４Ａが第四段目の平行部１２４Ａも第一段目の端子部材２１の平行部１２１Ａと同様に片持ち状に延出したいわゆる音叉端子として構成されており、その先端部にはヒューズを係合させるためのスリットが形成されている。そして、三段目の端子部材２３の各他端部２３Ａと、それぞれに対向する第四段目の端子部材２４の各他端部２４Ａとがペアとなり端子対２８を構成している。他端部２５Ａが第五段目の端子部材２５の平行部１２５Ａ、他端部２６Ａが第六段目の平行部１２６Ａも第一段目の端子部材２１の平行部１２１Ａと同様に片持ち状に延出したいわゆる音叉端子として構成されており、その先端部にはヒューズを係合させるためのスリットが形成されている。そして、そして、第五段目の端子部材２５の各他端部２５Ａと、それぞれに対向する第六段目の端子部材２６の各他端部２６Ａとがペアとなり端子対２９を構成している。
【００３１】
また、図４ないし図６に示すように、端子部材２１〜２６は、当該端子部材２１〜２６の屈曲位置から、それぞれの他端部２１Ａ〜２６Ａの先端付近に至るまで、両側縁が各他端部２１Ａ〜２６Ａの延出方向に沿って直線状に構成され、各平行部１２１Ａ〜１２６Ａは、屈曲位置から他端部２１Ａ〜２６Ａの先端付近に至るまでほぼ全体に亘って一定幅に保たれている。
【００３２】
例えば、図６に示すように、他端部２１Ａが最上段に配される各端子部材２１は、屈曲位置から他端部２１Ａの先端付近に至るまで、両側縁が一端部２１Ａの延出方向に沿って直線状に構成されており、平行部１２１Ａの幅が屈曲位置から一端部２１Ａの先端付近まで一定幅とされている。この構成では、端子部材２１における一端部２１Ａ側の部分（屈曲位置から先端側の部分）全体がその一定幅以内に収められており、平行部１２１Ａの側部が滑らかに構成されている（即ち突起などが設けられない形状となっている）。
【００３３】
また、図１、図３、図７に示すように、カバー部材４には、複数の開口が形成されている。本実施形態では、最上段に並ぶ開口を開口部４Ａとし、開口部４Ａの下の段に並ぶ開口部を開口部４Ｂとし、開口部４Ｂの下の段に並ぶ開口を開口部４Ｃとしている。このように複数段に並んでなる開口部４Ａ〜４Ｃにおいて、１段目の開口部４Ａは、各端子対２７に対応する位置に、横並びで複数形成されている。また、２段目の開口部４Ｂも同様であり、各端子対２８に対応する位置に、横並びで複数形成されている。また、３段目の開口部４Ｃは、各端子対２９に対応する位置に、横並びで複数設けられている。端子部材２１〜２６は、これら開口部４Ａ、４Ｂ、４Ｃを介してその一部がケース２の前方側より外部に露出する構成をなしている。
【００３４】
また、図３、図７に示すように、カバー部材４は、複数の端子部材２１〜２６のそれぞれの先端部（より詳しくは、各端子部材の先端部における幅方向両端部付近）に部分的に当接しており、これら端子部材２１〜２６の前方への移動を規制している。
【００３５】
２．傾倒規制部
次に、上記端子部材２１〜２６の傾倒を規制する傾倒規制部３１〜３６について説明する。なお、図９は、端子支持部材３０の平面図であり、図１０は、端子支持部材３０の正面図である。また、図１１は、端子支持部材３０の側面図であり、図１２は、端子部材２１〜２６を端子支持部材３０から分解した分解斜視図である。各傾倒規制部３１〜３６は、各段の端子部材２１〜２６にそれぞれ対応して設けられており、これら端子部材２１〜２６が他端部２１Ａ〜２６Ａの延出側とは反対側へ傾倒するのを規制する機能を有している。端子支持部材３０は、このような機能を有する複数の傾倒規制部３１〜３６が一体的に形成されるものであり、樹脂材料によって構成され、回路基板１０に位置保持されている。
【００３６】
具体的には、図４に示すように、端子支持部材３０において、回路基板１０の所定位置に形成された孔１０Ｃ（被係合部）と係合するピン１３０（ピン１３０は係合部の一例に相当する）が形成されており、この係合により、端子支持部材３０が回路基板１０に位置決めされるようになっている。本実施形態では、ピン１３０は、孔１０Ｃに圧入されており、これら係合によって固定が図られている。端子支持部材３０を回路基板１０上に位置保持する構造はこのような係合に限定されず、例えば、端子支持部材３０に係合爪を設けるなどして回路基板１０に係合させるようにしてもよく、端子支持部材３０と回路基板１０とをねじ等の締結部材などによって固定するようにしてもよい。
【００３７】
このように構成される端子支持部材３０は、図９ないし図１２に示すように、各傾倒規制部３１〜３６が階段状に形成されており、図３、図７、図８に示すように、各傾倒規制部３１〜３６がそれぞれ対応する段の端子部材２１〜２６の後方に隣接して配されている。より詳しくは、他端部２１Ａが最上段（上から一段目）に配される端子部材２１の後方側への傾倒を防止するように、傾倒規制部３１が直交部１２１Ｂの後方に隣接して設けられている。同様に、他端部２２Ａが上から二段目に配される端子部材２２の後方側への傾倒を防止するように、傾倒規制部３２が直交部１２２Ｂの後方に隣接して設けられ、他端部２３Ａが上から三段目に配される端子部材２３の後方側への傾倒を防止するように、傾倒規制部３３が直交部１２３Ｂの後方に隣接して設けられ、他端部が上から四段目に配される端子部材２４の後方側への傾倒を防止するように、傾倒規制部３４が直交部１２４Ｂの後方に隣接して設けられている。また、他端部が上から五段目に配される端子部材２５の後方側への傾倒を防止するように、傾倒規制部３５が直交部１２５Ｂの後方に隣接して設けられ、他端部が上から六段目に配される端子部材２６の後方側への傾倒を防止するように、傾倒規制部３６が直交部１２６Ｂの後方に隣接して設けられている。
【００３８】
また、一部の傾倒規制部３２〜３６は、他端部が所定段に配される端子部材の後方側に隣接すると共に当該所定段の端子部材の後方側への傾倒を規制し、他方、所定段とは異なる段の端子部材の前方に隣接してており、この端子部材の前方への倒れを規制している。
【００３９】
例えば、図７、図８に示すように、傾倒規制部３２は、他端部２２Ａが上から二段目に配される端子部材２２の後方側に隣接して当該端子部材２２の後方への傾倒を規制する一方で、他端部２１Ａが上から一段目に配される端子部材２１の前方に隣接しており、端子部材２１の前方への傾倒をも規制している。傾倒規制部３３も同様であり、他端部２３Ａが上から三段目に配される端子部材２３の後方側に隣接して当該端子部材２３の後方への傾倒を規制する一方で、他端部２２Ａが上から二段目に配される端子部材２２の前方に隣接しており、端子部材２２の前方への傾倒をも規制している。傾倒規制部３４、３５、３６も同様である。
【００４０】
図１０に示すように、各傾倒規制部３１〜３６は、各段の端子部材２１〜２６の並び方向（前後方向及び上下方向と直交する方向、即ち左右方向）の中間位置にスリット３７が形成されており、各傾倒規制部３１〜３６の間を空気が自然対流によって通過するように通気性良く形成されている。
【００４１】
以上のように、本実施形態によれば、他端部２１Ａ〜２６Ａが各段にそれぞれ配される端子部材２１〜２６が他端部２１Ａ〜２６Ａの延出側とは反対側（即ち後方側）へ傾倒するのを端子支持部材３０によって防ぐことができるため、端子部材２１〜２６を所定位置に安定的に保持することができる。
【００４２】
また、端子部材２１〜２６は、それぞれ一端部２１Ｂ〜２６Ｂ側が回路基板１０の板面と略直交して配され、他端部２１Ａ〜２６Ａ側が一端部側と略直交するようにＬ字状に構成されている。従って、複数の端子部材２１〜２６を簡易に多段構成とすることができる。このようにすると、傾倒防止が難しくなるが、本実施形態では、回路基板１０に固定される端子支持部材３０によって簡易かつ効果的に傾倒を防止している。
【００４３】
また、端子部材２１〜２６は、一端部側の側部がシンプルな形状とされ、一端部側が他部材に引っ掛かりにくくなっているが、このようにすると、一端部側をカバー部材などに係合させて傾倒防止を図ることが困難となる。本実施形態では、回路基板１０に固定される端子支持部材３０によって傾倒を防止しているため、このように一端部側の側部をシンプルな直線形状としつつ端子部材の傾倒を防止することができる。
【００４４】
また、傾倒規制部３１〜３５はそれぞれ、他端部が所定段に配される端子部材の後方側に隣接すると共に当該所定段の端子部材の後方側への傾倒を規制し、他方、所定段とは異なる段（具体的には、所定段の上段）の端子部材の前方にも隣接してており、その段（所定段の上段）の端子部材２１〜２６の前方への倒れを規制している。従って、所定段の端子部材の後方側へ傾倒を規制する傾倒規制部を、それとは異なる段の端子部材の傾倒防止に利用できるようになり、端子部材の安定化を効率的に実現できるようになる。これにより、端子部材同士をつないだ構造を有する端子群にすることにより、回路を組み込めることができる。
【００４５】
また、各傾倒規制部３１〜３６には、各段の端子部材２１〜２６の並び方向の中間位置にスリット３７が形成されている。従って、端子部材２１〜２６の傾倒を防止しつつ、放熱性への寄与をも高めることができる。
【００４６】
また、カバー部材４が複数の端子部材２１〜２６の先端部に当接し、これら端子部材２１〜２６の前方への移動を規制している。従って、端子部材２１〜２６の後方への傾倒のみならず前方への傾倒をも規制できることとなり、端子部材２１〜２６の形状を極めて安定的に保持することができる。
【００４７】
なお、本実施形態では、回路基板１０に位置保持される傾倒規制部３１〜３６によって各端子部材２１〜２６を支持しているため、カバー部材４によって端子部材２１〜２６の後方側への傾倒を防止する必要がなくなる。従って、各端子部材２１〜２６を、カバー部材４の開口部内を通してから回路基板１０に固定するといった組み立て作業を用いずとも傾倒防止を図ることができる。即ち、図４のような回路構成体３を構成してから、この回路構成体３をケース２及びカバー部材４に組み付けることができるため、組み立て作業が飛躍的に容易化する。
【００４８】
また、端子支持部材３０は、複数の傾倒規制部３１〜３６が一体的に形成されているため、部品点数が効果的に抑えられこととなり、傾倒規制部３１〜３６を回路基板１０に取り立てる作業を、作業性良く簡易に行うことができる。
【００４９】
＜他の実施形態＞
本発明は上記記述及び図面によって説明した実施形態に限定されるものではなく、例えば次のような実施態様も本発明の技術的範囲に含まれる。  
（１）上記実施形態では、全ての傾倒規制部３１〜３６を単一の端子支持部材３０によって一体的に形成したが、複数の端子支持部材によって構成してもよい。例えば、各段の傾倒規制部３１〜３６をそれぞれ別々の端子支持部材によって構成してもよいい。
（２）上記実施形態では、端子部材としてヒューズを取り付ける端子部材２１〜２６を例示したが、他の端子部材であってもよい。例えば、車両用各種電気部品に接続されるコネクタと導通させる端子部材などであってもよい。
【図面の簡単な説明】
【００５０】
【図１】実施形態１に係る電気接続箱を例示する斜視図
【図２】図１の電気接続箱１の平面図
【図３】図２のＡ−Ａ断面図
【図４】回路構成体を裏側から見た斜視図
【図５】端子部材を端子支持部材及びカバー部材に組み付ける構造を例示する平面図
【図６】図５からカバー部材を取り外した状態を示す平面図
【図７】図５のＢ−Ｂ断面図
【図８】図６のＣ−Ｃ断面図
【図９】端子支持部材の平面図
【図１０】端子支持部材の正面図
【図１１】端子支持部材の側面図
【図１２】端子部材を端子支持部材から分解した分解斜視図
【符号の説明】
【００５１】
１…電気接続箱
２…ケース
４…カバー部材
１０…回路基板
１０Ａ…板面
２０…端子群
２１，２２，２３，２４，２５，２６…端子部材
２１Ａ，２２Ａ，２３Ａ，２４Ａ，２５Ａ，２６Ａ…他端部
２１Ｂ，２２Ｂ，２３Ｂ，２４Ｂ，２５Ｂ，２６Ｂ…一端部
３０…端子支持部材
３１，３２，３３，３４，３５，３６…傾倒規制部
３７…スリット
４０…電子部品
【図１】
2008072823.tif 000003
【図２】
2008072823.tif 000004
【図３】
2008072823.tif 000005
【図４】
2008072823.tif 000006
【図５】
2008072823.tif 000007
【図６】
2008072823.tif 000008
【図７】
2008072823.tif 000009
【図８】
2008072823.tif 000010
【図９】
2008072823.tif 000011
【図１０】
2008072823.tif 000012
【図１１】
2008072823.tif 000013
【図１２】
2008072823.tif 000014